(57)【要約】  本発明は、両側で開かれた瓶ジャケット（２）を有する瓶、特に哺乳瓶であって、瓶ジャケット（２）の底側の端部領域（４）に、空気流入弁（１３）を有する底キャップ（８）が固定されており、向かい合った乳首側の端部領域に乳首（９）が固定されており、この乳首（９）はシャフト（２１）と、このシャフト（２１）に唇接触領域（２２）を介して接続する乳頭（２３）とを有しており、この場合に、瓶ジャケット（２）が、基本的に円錐状の、乳首側の端部領域から底側の端部領域（４）へ拡大する形状を有しており、乳首（９）のシャフト（２１）の肉厚が、乳首（９）の唇接触領域（２２）及び乳頭（２３）の肉厚よりも大きくなっている形式のもの、並びに両側で開かれた瓶ジャケット（２）を作製する方法であって、この場合に瓶ジャケット（２）がポリオレフィン、特にポリプロピレンより射出成形される方法に関する。
2007508873.tif 000002
【特許請求の範囲】
【請求項１】
瓶（１）、特に哺乳瓶であって、該哺乳瓶に、両側で開かれた瓶ジャケット（２）が設けられており、瓶ジャケット（２）の底側の端部領域（４）に、空気流入弁（１３）を有する底キャップ（８）が固定されており、向かい合った乳首側の端部領域に乳首（９）が固定されており、該乳首（９）が、シャフト（２１）と、該シャフト（２１）に唇接触領域（２２）を介して接続する乳頭（２３）とを有している形式のものにおいて、瓶ジャケット（２）が、基本的に円錐状の、吸込み側の端部領域から底側の端部領域（４）へ拡大する形状を有しており、乳首（９）のシャフト（２１）の肉厚が、乳首（９）の唇接触領域（２２）及び乳頭（２３）の肉厚よりも大きくなっていることを特徴とする、瓶（１）、特に哺乳瓶。
【請求項２】
瓶ジャケット（２）の両方の開かれた端部に、キャップ（７，８）を収容するためのねじ山（５，６）を備えたそれぞれ１つの端部領域（３，４）が接続している、請求項１記載の瓶。
【請求項３】
よりわずかな直径を有する端部領域（３）に、乳首（９）がカバーキャップ（７）により固定されており、乳首フランジ（１０）が、カバーキャップ（７）と、端部領域（３）の端面（３′）との間で、カバーキャップ（７）と瓶ジャケット（２）とのねじ止めによりクランプされている、請求項２記載の瓶。
【請求項４】
瓶ジャケット（２）の底側の端部領域（４）に、空気流入弁（１３）を有するカバーキャップ（８）がねじ止めされている、請求項２又は３記載の瓶。
【請求項５】
空気流入弁（１３）を形成するために、ダイアフラム（１４）が底キャップ（８）内に収容されており、ダイアフラム（１４）の固定フランジ（１９）が、底側の端部領域（４）の端面（４′）と、底キャップ（８）との間でクランプされている、請求項１から４までのいずれか１項記載の瓶。
【請求項６】
底キャップ（８）内に少なくとも１つの空気流入開口（１８）が設けられている、請求項１から５までのいずれか１項記載の瓶。
【請求項７】
ダイアフラム（１４）が、底キャップ（８）のコップ状の構成に対応した形状を有している、請求項５又は６記載の瓶。
【請求項８】
ダイアフラム（１４）が、円形リング状に形成されている、請求項５から７までのいずれか１項記載の瓶。
【請求項９】
ダイアフラム（１４）が、少なくとも１５ｍｍ、有利には基本的に３０ｍｍの直径を有している、請求項８記載の瓶。
【請求項１０】
底キャップ（８）の中央の隆起部（１６）が球欠状に形成されている、請求項１から９までのいずれか１項記載の瓶。
【請求項１１】
円形リング状のダイアフラム（１４）の内側の端部区分（２０）が、底キャップ（８）の中央の隆起部（１６）に接触している、請求項５から１０までのいずれか１項記載の瓶。
【請求項１２】
ダイアフラム（１４）が、プレロード下に底キャップ（８）内へ挿入されている、請求項５から１１までのいずれか１項記載の瓶。
【請求項１３】
シャフト（２１）が、基本的に２．００ｍｍ〜２．５０ｍｍまで、特に２．２５ｍｍの肉厚を有しており、乳頭（２３）若しくは唇接触領域（２２）が、基本的に１．２０ｍｍ〜１．５０ｍｍまで、特に１．３５ｍｍの肉厚を有している、請求項１から１２までのいずれか１項記載の瓶。
【請求項１４】
唇接触領域（２２）内に少なくとも１つの領域（２５）が設けられており、該領域（２５）の肉厚が、残りの唇接触領域（２２）の肉厚よりもわずかである、請求項１から１３までのいずれか１項記載の瓶。
【請求項１５】
前記領域（２５）が、基本的に１．３０〜１．６０ｍｍまで、特に１．４５ｍｍの肉厚を有している、請求項１４記載の瓶。
【請求項１６】
よりわずかな肉厚の領域（２５）が、乳頭（２３）内にまで延びている、請求項１４又は１５記載の瓶。
【請求項１７】
前記領域（２５）が、側面図で見て基本的に三角形になっている、請求項１６記載の瓶。
【請求項１８】
よりわずかな肉厚の領域（２５）が、少なくとも１つの補強リブ（２６）により補強されている、請求項１４から１７までのいずれか１項記載の瓶。
【請求項１９】
補強リブ（２６）が、よりわずかな肉厚の領域（２５）内の、乳首（９）の内側に設けられている、請求項１８記載の瓶。
【請求項２０】
補強リブ（２６）が、乳頭（２３）内にまで延びている、請求項１８又は１９記載の瓶。
【請求項２１】
乳頭（２３）が、基本的に楕円形の横断面を有しており、これに対して、シャフト（２２）が、円形状の横断面を有している、請求項１から２０までのいずれか１項記載の瓶。
【請求項２２】
よりわずかな肉厚の互いに直線上に向かい合った２つの領域（２５）が設けられている、請求項１４から２１までのいずれか１項記載の瓶。
【請求項２３】
よりわずかな肉厚の２つの領域（２５）が、乳頭（９）のより平坦な側の領域内に配置されている、請求項２２記載の瓶。
【請求項２４】
乳首表面の唇接触領域（２２）若しくは乳頭（２３）の乳首表面、特によりわずかな肉厚の１つ若しくは複数の領域（２５）が、少なくとも部分的に最大１００μｍ、特に最大５０μｍの高められた表面粗さを有している、請求項１４から２３までのいずれか１項記載の瓶。
【請求項２５】
約１０μｍ〜約４０μｍまで、有利には１５μｍ〜３０μｍまでの表面粗さが設けられている、請求項２４記載の瓶。
【請求項２６】
乳首（９）が、射出成形部分である、請求項１から２５までのいずれか１項記載の瓶。
【請求項２７】
乳首（９）が、熱硬化性のエラストマより成っている、請求項１から２６までのいずれか１項記載の瓶。
【請求項２８】
乳首（９）が、ラテックス、シリコーン又はこれに類するエラストマ材料より成っている、請求項１から２６までのいずれか１項記載の瓶。
【請求項２９】
請求項１から２８までのいずれか１項記載の瓶のための、両側で開かれた瓶ジャケット（２）を作製する方法において、瓶ジャケット（２）をポリオレフィン、特にポリプロピレンより射出成形することを特徴とする、請求項１から２８までのいずれか１項記載の瓶のための、両側で開かれた瓶ジャケット（２）を作製する方法。
【請求項３０】
基本的に円錐状の瓶ジャケット（２）を形成するために、瓶ジャケット（２）を円錐台状の射出成形型を用いて作製する、請求項２９記載の方法。
【請求項３１】
瓶ジャケット（２）を、透明なポリプロピレン、特に「ランダム共重合体ポリプロピレン」、メタロセン触媒ポリプロピレン又はこれに類するものより射出成形する、請求項２９又は３０記載の方法。
【発明の詳細な説明】
【技術分野】
【０００１】
本発明は、瓶、特に哺乳瓶であって、両側で開かれた瓶ジャケットが設けられており、この場合に瓶ジャケットの底側の端部領域に、空気流入弁を有する底キャップが固定されており、向かい合った乳首側の端部領域には乳首が固定されており、この乳首はシャフトと、このシャフトに唇接触領域を介して接続する乳頭とを有している形式のもの、並びに請求項１〜請求項２８までのいずれか１項記載の瓶のための、両側で開かれた瓶ジャケットを作製する方法に関する。
【０００２】
両側で開かれた瓶ジャケットを有するこのような哺乳瓶が、既にアメリカ特許公開第５，４４９，７２９号明細書につき公知である。この明細書では円筒状のジャケットから成る哺乳瓶が開示されており、この場合に開かれた端部には乳首を固定するためのカバーキャップがねじ止めされている。向かい合った底領域内にはエラストマの弁エレメントの形のダイアフラムをクランプ固定するための別のキャップが設けられている。このダイアフラム内には多数の開口が設けられており、これらの開口は、ダイアフラムが弛緩した状態で閉鎖位置に位置している。容器内部に負圧を加えた場合には開口は空気貫通のために解放される。この場合、哺乳瓶の底領域は比較的小さく形成されており、したがって底領域内に配置された弁エレメントも比較的小さい面のみを有している。円筒状のジャケットは、哺乳瓶において汎用のポリカーボネート材料から成っており、このポリカーボネート材料はブロー成形法により成形される。
【０００３】
さらに、特に哺乳瓶のための、２つの開かれた端部を有する瓶ジャケットが、アメリカ特許公開第６，１４２，３２５号につき公知であり、この場合には底側の端部区分に、弁エレメントを有する底キャップがねじ止めされている。しかしながら、ここでも比較的小さい底面、ひいては比較的小さい弁エレメントのみが設けられているので、圧力差が比較的大きい場合にはじめて哺乳瓶の内部への空気進入が可能となる。瓶ジャケットは、ガラス、ポリエステル、ポリアミド、ポリオレフィン、ポリカーボネート及びこれに類するものから成っている。
【０００４】
アメリカ特許公開第６，０５３，３４２号明細書につき哺乳瓶が公知である。この哺乳瓶では、円筒状の、折り曲げられた、両側で開かれた瓶ジャケットが設けられている。この場合にも端部領域内には乳首がカバーキャップにより固定されており、比較的小さい向かい合った底領域内には、空気貫通開口を備えた弾性的なダイアフラムを有するキャップが設けられており、この場合にこのダイアフラムは少なくとも１つの舌片を介してキャップに結合されている。両側で開かれた瓶ジャケットはポリカーボネートによるブロー成形法により作製される。
【０００５】
さらにフランス特許公開第６４７８７４号明細書につき哺乳瓶が公知である。この哺乳瓶は、瓶ジャケットと一体的に形成された特殊な飲み口を有している。円錐形状を有していてよい特殊な瓶ジャケットは、底側で開かれて形成されており、この場合に、開かれた端部区分には固定リングがねじ止めされており、この固定リングは底面を支持している。腐食を阻止するためには、この底面は有利にはアルミニウムより成っている。
【０００６】
さらにアメリカ特許公開第４６１３０５０号明細書につき、従来のコップ形の瓶ジャケットを有する哺乳瓶が公知であり、この場合には特殊な空気弁がねじキャップの領域内に設けられており、これにより、哺乳瓶内への空気流入が可能となる。
【０００７】
このような哺乳瓶による赤ちゃんの栄養摂取は、これまでは母親乳房で飲むのとは明らかに異なっている。母親乳房では極めて柔らかい乳頭がほぼ赤ちゃんの下と唾液によってのみ絞られ（「ストリップされ」）、この場合に母親乳房では決して負圧（真空）が生じないので、完全に一様な吸飲が可能である。特に赤ちゃんの吸込み（真空）自体は、ミルクを口内へ取り入れ、次いで飲み込みためには用いられないか、又はほとんど用いられない。赤ちゃんの吸飲は実際には付加的な絞り運動（「ストリッピング」）を伴ったコップからの吸飲に相当する。
【０００８】
これに対して公知の哺乳瓶では、既に最初の吸飲で瓶内に負圧が生じ、この負圧に対して赤ちゃんは、より強い真空（吸込み）を形成することにより対抗する。このような吸込みは、口内から空気も吸い込まれ、飲み込まれることをもたらす。この場合にこの空気は極めて不快であり、母親及び子供にとって極めて負担となる疝痛をもたらす。このような疝痛では非常に多くの赤ちゃんが深刻に苦しむ。さらにこの場合に吸込み部は、瓶の負圧により潰れてしまい、ひいては飲むことが不可能にならないように比較的剛性があり、硬くなっている必要がある。しかしながら、このように剛性のある吸込み部分も実際には「ストリッピング」（搾り）をもたらさず、これにより、子供は実際には吸込み（真空）によってのみミルク及び不都合な空気を得る。
【０００９】
本発明の課題は、冒頭で述べた形式の瓶を改良して、自然の母親の乳房を介した栄養摂取をできるだけ良好に模倣しているものを提供することである。
【００１０】
このことは、冒頭で述べた形式の瓶において、瓶ジャケットが基本的に円錐状の、吸込み側の端部領域から底側の端部領域に拡大された形状を有しており、吸込み部のシャフトの肉厚が、吸込み部の唇接触領域及び乳頭の肉厚よりも大きくなっていることにより達成される。
【００１１】
瓶ジャケットの、基本的に円錐状の、底側の端部領域が拡大された形状により、比較的大きい底側の弁が生じ、この弁により、圧力差がわずかな場合に既に圧力補償が可能となる。さらに乳首はシャフト領域では、乳首の唇接触領域及び乳頭の肉厚よりも大きい肉厚を有しているので、実際の母親の乳房での子供の吸込みを良く模倣することができる。種々異なった肉厚を有する乳首の形成により、より大きい肉厚のシャフトによる比較的堅牢なショルダが生じ、このショルダは残りの乳首、すなわち、唇接触領域とこの唇接触領域に続く乳頭をばね弾性的に支持し、これにより、実際の母親乳房に接触している感覚が広範囲に模倣される。
【００１２】
底部に設けられた本発明による大きく、敏感に反応する空気流入弁により、いまや瓶内にも実際に負圧は生じず、これにより、乳首が崩壊する危険性はない。それ故、乳首は唇接触領域及び乳頭の領域では対応して薄く構成されており、これによっても搾取り（「ストリッピング」）が可能となる。すなわち、赤ちゃんは搾り運動によりミルクを哺乳瓶から得ることができ、吸い込む必要はない。底部弁と乳首との間のこのような構造的な相互作用により、いまや疝痛の形成は防止される。
【００１３】
比較的大きい底面に基づき、特に哺乳瓶を簡単に、瓶ブラシなしに洗浄することができ、従って食器洗い機内での洗浄のためにも極めて良く適している。
【００１４】
瓶ジャケットの両方の開かれた端部を簡単に閉鎖することができるように、瓶ジャケットの両方の開かれた端部に、キャップを収容するためのねじ山を設けられたそれぞれ１つの端部領域が接続している場合には特に好都合である。
【００１５】
直径の大きい方の底側の端部領域に向かい合った瓶ジャケット端部に乳首を簡単かつ信頼性良く固定することに関して、より小さい直径を有する端部領域に乳首がカバーキャップにより固定されており、この場合に乳首フランジが、カバーキャップと、端部領域の端面との間で、カバーキャップと瓶ジャケットとのねじ止めによりクランプされている場合には有利である。
【００１６】
既に説明したように、瓶ジャケットの底側の端部領域に、空気流入弁を有する底キャップがねじ止めされている場合には有利である。なぜならば、瓶ジャケットの円錐状の構成により比較的大きい弁面が提供され、この弁面によっても、小児が母親乳房で吸い込む場合にしばしば生じるように、空気流入は圧力差がわずかな場合に可能となるからである。
【００１７】
底キャップの空気流入弁を介した信頼性良い空気流に関しては、空気流入弁を形成するためにダイアフラムが底キャップ内に収容されており、この場合にダイアフラムを確実に固定するためにはダイアフラムの固定フランジが、底側の端部領域の端面と底キャップの間でクランプされている場合には有利である。
【００１８】
瓶内部への空気流入は瓶ジャケットと底キャップとの間のねじ山結合部を介して既に可能であるが、空気流入を簡易化するためには、底キャップが少なくとも１つの空気流入開口を設けられている場合には有利であり得る。
【００１９】
キャップと瓶ジャケットとの間のねじ山結合部を介した、ダイアフラムの閉鎖位置での空気流入に対する良好なシールに関して、ダイアフラムが底キャップに対応した形状のコップ状の形状を有している場合には有利である。
【００２０】
ダイアフラムをフラップ弁の形で形成するためには、ダイアフラムが円形リング状である場合には有利である。
【００２１】
圧力差がわずかな場合に既に圧力補償を保証し、ひいては瓶内部の真空の発生を阻止するためには、ダイアフラムが少なくとも１５ｍｍの内径、有利には基本的に３０ｍｍの内径を有している場合には有利である。
【００２２】
ダイアフラムが特に円形リング状に形成されている場合の閉鎖位置におけるダイアフラムによる良好なシールに関しては、底キャップの中央の隆起部が球欠状に形成されている場合には有利である。
【００２３】
円形リング状のダイアフラムの内側の端部区分が底キャップの中央の隆起部に接触している場合には、中央の隆起部には、閉じられて位置でダイアフラムのリング状のシール面がもたらされ、このシール面は瓶内に負圧が生じた場合にダイアフラムの開放により解放される。
【００２４】
瓶からの意図的でない液体流出を信頼性良く阻止し、かつ吸込み後にわずかな残留真空を瓶内に保持するためには、ダイアフラムがプレロード下に底キャップに挿入されている場合には有利である。
【００２５】
実際の母親乳房の特に良好な模倣が、シャフトが基本的に２．００ｍｍ〜２．５０ｍｍまで、特に２．２５ｍｍの肉厚を有しており、乳頭若しくは唇接触領域が基本的に１．２０ｍｍ〜１．５０ｍｍまで、特に１．３５ｍｍの肉厚を有している場合にもたらされることをテストが示している。
【００２６】
特に上に述べた、乳首における子供の「ストリッピング」（「搾り」）を簡易化するためには、唇接触領域内に、肉厚が残りの唇接触領域の肉厚よりもわずかになっている少なくとも１つの領域が設けられている場合にはさらに有利である。この場合にも、赤ちゃんの上に述べた「ストリッピング」のためには、前記領域が基本的に１．３０ｍｍ〜１．６０ｍｍまで、特に１．４５ｍｍの肉厚を有している場合には特に有利であることをテストが示している。
【００２７】
よりわずかな前記肉厚の領域が乳頭内にまで延びている場合には、このよりわずかな肉厚の領域は子供の唇若しくは子供の舌の接触領域全体に設けられており、これにより、子供の「ストリッピング」はさらに簡易化される。この場合には前記領域が側面図で見て基本的に三角形になっていることが有利にはもたらされる。
【００２８】
よりわずかな肉厚の領域内で乳首が不都合に圧縮されるか、又は崩壊することを阻止するためには、このよりわずかな肉厚の領域が少なくとも１つの補強リブにより補強されている場合には有利である。
【００２９】
この場合には乳首の外側の不都合な隆起を阻止するためには、よりわずかな肉厚の領域内の補強リブが乳首の内側に設けられていると有利である。
【００３０】
この場合に乳頭内へのより薄い肉厚の領域の有利な延びに関して、補強リブが乳頭内へ延びている場合には特に有利である。
【００３１】
有利には乳頭は基本的に楕円形の横断面を有しており、これに対してシャフトは円形の横断面を有している。これにより、乳首は２つの規定された位置においてのみ子供により快適に口内へ取りこまれ得るようになっており、このことは、よりわずかな肉厚の領域を乳首の正確に規定された箇所に設けることができることをもたらす。従って、よりわずかな肉厚の互いに直径上に向かい合った領域が設けられている場合にはさらに有利である。さらにこの関連では、よりわずかな肉厚の２つの領域が、乳頭のより平坦な側の領域内に配置されている場合には有利である。
【００３２】
さらに表面特性に関連しても母親乳房のできるだけ良好な模倣を行うためには、乳首表面の唇接触領域若しくは乳頭の乳首表面、特にわずかな肉厚の１つ又は複数の領域が、少なくとも部分的に最大１００μｍ、特に最大５０μｍの高められた表面粗さを有している場合には有利である。約１０μｍ〜約４０μｍまで、有利には１５μｍ〜３０μｍまでの表面粗さが設けられている場合には、視覚的に柔らかく肌に類似した外観のみならず、乳首はとりわけ母親乳房に特に似ているように感じられることを特にテストが示している。
【００３３】
有利には乳首は射出成形部分の形で設けられており、この場合には、乳首の表面の粗い領域が、射出成形型の、対応して粗い領域により作製される。この粗い領域は、例えば射出成形型の成形面の火花浸食（Ｆｕｎｋｅｎｅｒｏｓｉｏｎ）又は化学的なエッチングにより作製することができる。
【００３４】
健康上の理由から、最初の６ヶ月の間の子供の授乳、ひいては母乳による栄養摂取はほとんど義務であるが、母親は子供の傍にいないので多くの場合には子供に４〜６時間毎に乳房を与えることができないということが今日では根本的な問題であるみなすことができることにも言及しておきたい。特にアメリカ合衆国では通常では母親は既に子供の誕生の６週間後には再び職場に戻らなければならない。
【００３５】
いまや母親は乳房ポンピングによりミルクを吐出し、次いでこのミルクは母親の不在中にほかの誰かにより子供に瓶で与えられる。いまや子供たちは実際には毎日瓶乳首と母親乳房との間で交換しなければならない。このようなことは、これらの生後数週間の多くの子供の場合には極めて頻繁に大きい問題をもたらす。たいていの場合には、母親は授乳をやめ、子供に人工的な栄養を与えなければならない。このことは医学的な観点から見て全く好ましいことではない。アメリカの小児科医は、子供は１歳の誕生日まで授乳することを公的にさえ奨励しているが、このことは上に述べたように著しい技術的な問題に突き当たる。確かに瓶乳首ではできるだけ小さい吸込み開口により、子供が母親乳房と同じ吸込み及び作業を行うことに慣れるよう試みられているが、しかしながら、多くの場合にはこのことは不十分であることが明らかとなった。「味」もゴム又はシリコーン乳首の粘着性も子供にとって母親乳房で生じる感覚とは完全に異なっている。ミルクを瓶乳首から吸い込む形式も、母親乳房における吸飲運動とは完全に異なっている。
【００３６】
ここで個々に説明した肉厚変化、粗さによる表面構成及び上に述べた底側の空気流入弁と結びついた前記特性の特別な調整により、いまや「母親乳房」方向に大きいステップがなされ、母親には遙かに長い授乳時間が可能となった。
【００３７】
有利には乳首は熱硬化性のエラストマ又はシリコーン、ラテックス又はこれに類するエラストマ材料より成っている。
【００３８】
冒頭で述べた形式の方法は、瓶ジャケットがポリエチレン、特にポリプロピレンより射出成形されることにより特徴づけられている。
【００３９】
これまでは主にポリカーボネート瓶が使用されているが、しかしながら、材料が比較的高く、とりわけ射出圧延ブロー成形による作製は比較的手間がかかる。
【００４０】
さらに、ポリプロピレンより成る中空体ブロー成形された瓶も公知である。しかしながら、この場合にこれらの瓶は、瓶は使用後には汚れ除去のために煮沸されることが望ましいので、いわゆる「メモリー効果」により約５％だけ収縮してしまい、これにより、ジャケットに取り付けられたスケールに狂いが生じる。これに対抗するためにはこの中空体ブロー成形された瓶は第２の作製段階で延ばされる。ポリオレフィン、特にポリプロピレンより成る瓶ジャケットを射出成形法で作製する場合には、これにより、哺乳瓶のための比較的安価な瓶ジャケットを作製することができ、この哺乳瓶は別の作製ステップで後処理する必要がない。
【００４１】
簡単に大きい底面、ひいては同時に大きい弁面を形成するためには、瓶ジャケットの円錐状の瓶ジャケットを形成するために、円錐台状の射出成形型により作製されている場合には有利である。射出成形型を円錐台状に形成することにより、瓶ジャケットの簡単な型外しももたらされる。なぜならば、瓶ジャケットは、より小さい直径の方向に射出成形型から簡単に取り外すことができるからである。
【００４２】
瓶の内容を見ることを可能にするためには、瓶ジャケットが透明なポリプロピレン、特にランダム共重合体ポリプロピレン、メタロセン触媒ポリプロピレン又はこれに類するものより射出成形される場合には有利である。
【００４３】
次に本発明の実施の形態を図面につきさらに詳しく説明する。しかしながら、本発明はこれらに限定されるものではない。
【００４４】
図１には、円錐状の瓶ジャケット２を有する哺乳瓶１が示されている。瓶ジャケット２は両方の端部領域３，４でそれぞれ開かれており、カバーキャップ７若しくは底キャップ８を固定するためのねじ山５，６を設けられている。
【００４５】
ここでは瓶ジャケット２はポリプロピレン材料より成っており、射出成形法により成形されるので、円錐状の射出成形型を用いて瓶ジャケット２の円錐状の形状を簡単に作製することができる。ポリプロピレンより成る射出成形された瓶ジャケット２の型外しは、この場合には円錐状の射出成形型（図示していない）から瓶ジャケット２を射出成形型のより小さい直径の方向に引き下ろすことにより簡単に行うことができる。
【００４６】
直径の小さい方の上側の端部領域３内にはカバーキャップ７により乳首９が固定されており、このためには乳首フランジ１０がカバーキャップ７と、上側の端部領域３の端面３′との間にクランプされる。使用していない状態で瓶１から液体が流出することを阻止するためには、カバーキャップ７に保護キャップ１１が被せ嵌められており、この保護キャップ１１は、図１に示した位置では乳首９の液体流出開口１２を覆っており（図５参照）、この場合に保護キャップ１１は被せ嵌められた位置で乳首９をわずかに下方へ押圧する。
【００４７】
直径の大きい方の、底側の端部領域４には、空気流入弁１３を有する底キャップ８がねじ山６を介してねじ止めされている。空気流入弁１３は、主に底キャップ８と、この底キャップ８内に挿入されたダイアフラム１４とから組み立てられており、例えばこのことは特に図２、図３及び図４から判る。この場合にコップ状の底キャップ８には瓶ジャケット２の雄ねじ山６にねじ込むための雌ねじ山１５が設けられており、中央の隆起部１６を有しており、この隆起部１６はダイアフラム１４のための接触面として設けられている。
【００４８】
特に図２から判るように、底キャップ８の円形リング状の底面１７内には周にわたって分配されて複数の空気流入開口１８が設けられており、これにより、吸込み時には瓶１の内部に生じる負圧と周囲との間の圧力補償が、圧力差がわずかな場合に既に簡易化される。しかしながら、択一的には空気流入開口１８なしの構成も可能であり、この構成ではねじ山結合部１６を介してのみ空気流入が得られる。
【００４９】
図３から判るように、ダイアフラム１４は底キャップ８のコップ形状に基本的に対応した形状を有しており、固定フランジ１９を設けられており、この固定フランジ１９は、底キャップ８と、開かれた端部領域４の端面４′との間でダイアフラム１４を固定するためにクランプされる。ダイアフラム１４は特に円形リング状に形成されており、この場合に内側の端部領域内にはシールリップ２０が設けられており、このシールリップ２０は、ダイアフラム１４の、底キャップ８に適合された延びに対して折り曲げられている。
【００５０】
特に図４から判るように、ダイアフラム１４はシールリップ２０のプレロード下に底キャップ８内へ挿入され、これにより、わずかな真空が吸込み後に瓶１内に残留する。
【００５１】
これにより、圧力補償のためには空気が空気流入開口１８若しくはねじ山結合部６，１５を介して進入し、次いでシールリップ２０が底キャップ８の中央の隆起部１６瓶１から持ち上げられることにより内部へ到達することができる。
【００５２】
図５、図６及び図７には、図１に見られる乳首９が詳細に示されている。特にこの乳首９は、既にわずかな圧力差で圧力補償を可能にする底部弁１３と協働して、母親母乳における吸込みを上手に模倣する子供の吸込み若しくは「ストリッピング」を可能にする。
【００５３】
このためには乳首９のシャフト２１が、このシャフト２１に接続した唇接触領域２２並びにこの唇接触領域２２に隣接した乳頭２３よりも大きい肉厚を有している。これにより、よりわずかな肉厚を有する唇接触領域２２並びに乳頭２３を支持しているシャフト２１の、矢印方向２４に作用するばね力が生じる。
【００５４】
子供の「ストリッピング」をさらに簡易化し、母親の乳房における吸込みを良好に模倣するためには、唇接触領域２２内に２つの領域２５が設けられており、これらの領域２５は、特に図７から判るように、残りの唇接触領域に対してさらに薄くなった肉厚を有している。
【００５５】
乳首９は、この場合にはシャフト２１の領域内では回転対称的に形成されている、すなわち、横断面図で見て円形になっており、しかしながら、乳頭２３は横断面図で見て楕円形になっており、これにより、乳頭２３は２つの位置でのみ、つまり長い方の軸線により横方向にのみ小児により快適に口内へ取り込まれ得る。横断面形状は唇接触領域２２では乳頭２３の大円形の形状からシャフト２１の円形へ移行し、これにより、赤ちゃんが乳頭で吸い込んでいる、若しくは絞っている間は乳頭の形状はできるだけ広範囲に自然な乳頭の形状に対応している。
【００５６】
この場合に、わずかな肉厚の両方の領域２５が、乳首９の両方の広幅側、すなわち、乳頭２３の楕円形の横断面の長い方の軸線に対して平行に延びる側で、互いに直径上に向かい合って配置されており、見かけはほぼ三角形に形成されており、これにより、この領域２５の広幅のベース領域が唇接触領域２２内に延びており、より挟幅な先端領域が乳頭２３内にまで延びている。
【００５７】
それぞれの領域２５の内側には、４つの凹状リブ２６が設けられており、これにより、乳首９の剛性が、特にわずかな肉厚の領域２５内で高められ、これにより、乳首９のために柔らかい材料を使用した場合に乳首９の唇接触領域を意図せずに強く押し込むことはない。従って、凹状リブ２６により、乳首９の崩壊、これにより、飲料液、特にミルクの後漏れがブロックされ、信頼性良く阻止される。
【００５８】
さらに、唇接触領域２２内並びに乳頭２３では、乳首９の表面が、母親乳房の性質をさらに良く模倣することができるように残りの乳首９に対してより高い表面荒さを有している。この場合、図５〜図７に示した乳首９では、輪郭線２７′により取り囲まれた領域２７は最大で約１００μｍ、特に最大で５０μｍの高められた表面荒さを備えており、この場合に１０μｍ〜４０μｍまでの間、有利には１５μｍ〜３０μｍまでの間の最適な荒さが小児によって特に良いと受け止められることをテストが示した。
【００５９】
従って本発明による哺乳瓶により、安価に簡単に作製できる哺乳瓶がはじめて形成される。この哺乳瓶は底部弁を有しており、この底部弁は既にわずかな圧力差で圧力補償を可能にし、この場合に種々異なった肉厚に基づき母親乳房を特に良好に模倣した乳首と協働した、圧力差がわずかな場合の圧力補償により、本発明による哺乳瓶により、母親乳房を介した栄養摂取を特に良好に模倣することができる。
【図面の簡単な説明】
【００６０】
【図１】ポリプロピレンより成る円錐状の瓶ジャケットを有する哺乳瓶の横断面図である。
【図２】底キャップの斜視図である。
【図３】底側の空気弁のダイアフラムの横断面図である。
【図４】挿入されたダイアフラムを有する底キャップの横断面図である。
【図５】よりわずかな肉厚の領域を有する乳首の斜視図である。
【図６】図５のＶＩ−ＶＩ線に沿った断面図である。
【図７】図６のＶＩＩ−ＶＩＩ線に沿った断面図である。
【図１】
2007508873.tif 000003
【図２】
2007508873.tif 000004
【図３】
2007508873.tif 000005
【図４】
2007508873.tif 000006
【図５】
2007508873.tif 000007
【図６】
2007508873.tif 000008
【図７】
2007508873.tif 000009
【国際調査報告】
2007508873.tif 000010
2007508873.tif 000011
2007508873.tif 000012
2007508873.tif 000013
2007508873.tif 000014
2007508873.tif 000015
2007508873.tif 000016
2007508873.tif 000017
2007508873.tif 000018
2007508873.tif 000019